(57)【要約】【課題】通気管内に水が入っても、当該通気管での通気を確保することの可能なサイフォン排水システム用の通気管を提供する【解決手段】横引き通気管３２は、横引き通気管本体３３と除水溝部３５とで構成されている。横引き通気管本体３３は、横引き通気管３２の大半部分を構成する筒状とされ、下部に長手方向に沿った切欠きが構成されている。横引き通気管本体３３の内側には、通気路３３Ａが構成されている。除水溝部３５は、断面が通気管本体３３の切欠き部分から連続して径方向外側突出した形状とされており、除水溝部３５の内側には横引き通気管３２の長手方向に沿って除水溝３５Ａが構成されている。【選択図】  図２
2008138392.tif 000002
【特許請求の範囲】
【請求項１】
床スラブに沿って配設される無勾配部を有するサイフォン排水システム用の通気管であって、
通気が行われる通気管本体と、
前記無勾配部に設けられ、前記通気管本体から流体が流入される除水部と、
を備えたサイフォン排水システム用の通気管。
【請求項２】
前記除水部は、前記通気管本体の下側に長手方向に沿って設けられた溝で構成されていること、を特徴とする請求項１に記載のサイフォン排水システム用の通気管。
【請求項３】
前記記除水部は、前記通気管本体の下側に長手方向に沿って間隔をもって設けられた凹部で構成されていること、を特徴とする請求項１に記載のサイフォン排水システム用の通気管。
【請求項４】
水廻り器具とサイフォン排水管との間に貯留槽を備えたサイフォン排水システムにおいて、前記貯留槽内と連通されて用いられる、請求項１乃至請求項３のいずれか１項に記載のサイフォン排水システム用の通気管。
【請求項５】
１つの水廻り器具と接続されるサイフォン排水管を複数本備えたサイフォン排水システムにおいて、前記複数のサイフォン排水管のうち通気管としての機能を有するものに用いられる、請求項１乃至請求項３のいずれか１項に記載のサイフォン排水システム用の通気管。
【発明の詳細な説明】
【技術分野】
【０００１】
本発明は、サイフォン排水システムに用いられて、通気機能を有するサイフォン排水システム用の通気管に関する。
【背景技術】
【０００２】
近年、従来の勾配排水システムに代わって、サイフォン排水システムが提案されている。サイフォン排水システムは、特許文献１に記載されるように、水廻り器具とサイフォン排水管とで構成されており、サイフォン排水管２の垂下部をなす竪管３にて発生するサイフォン力（負圧力）を利用して、水回り器具からの排水効率を向上させるシステムである。
【０００３】
そして、更に、サイフォン排水システムにおいて、排水システム中に貯留槽を配置する、サイフォン排水システムも提案されている。
【特許文献１】特開平６−４２０１９号公報
【０００４】
上記のように、貯留槽を配置する場合には、貯留槽内に水が流入し、又流出される際に貯留槽内の圧力が変化することから、図６に示すように、貯留槽４内のエアの給排気を行う通気管５が必要となる。かかる通気管５に水が入ると、排水されたとしても、小口径かつ無勾配で配管されているため、図６に示すように排水後も通気管内に水Ｈが残って、通気不良となるため、貯留槽４の頂上部近傍に通気管５の接続口を設けたり、貯留槽４のサイズを大きくしたりして、通気管に水が侵入しないようにする対策が考えられる。
【０００５】
しかしながら、設計上、通気管の接続口の位置を頂上部付近に設けることができない場合や、貯留槽のサイズを大きくすることができない場合もある。また、前述のような対策を取っても、排水量や不慮のつまり等によっては、通気管に水が入る場合も想定される。
【発明の開示】
【発明が解決しようとする課題】
【０００６】
本発明は、上記事実に鑑みてなされたものであり、通気管内に水が入っても、当該通気管での通気を確保することの可能なサイフォン排水システム用の通気管を提供することを目的とする。
【課題を解決するための手段】
【０００７】
本発明の請求項１に記載のサイフォン排水システム用の通気管は、床スラブに沿って配設される無勾配部を有するサイフォン排水システム用の通気管であって、通気が行われる通気管本体と、前記無勾配部に設けられ、前記通気管本体から流体が流入される除水部と、を備えている。
【０００８】
本発明のサイフォン排水システム用の通気管は、床スラブに沿って配設される無勾配部を有している。ここで、無勾配部は、完全に無勾配（水平）である必要はなく、多少の段差や勾配を有する場合を含む。但し、サイフォン排水システムで用いられるサイフォン排水管に許容されるとほぼ同様の勾配であり、従来の排水システムで必要とされている勾配よりも小さい勾配である。
【０００９】
本発明のサイフォン排水システム用の通気管の無勾配部は、無勾配であるため、水が入ると抜けにくく通気不良の原因となる。そこで、本発明では、通気が行われる通気管本体から流体が流入される除水部を設ける。通気管に水が入り排水後に水が残っても、通気管本体から除水部へ水は流出するので、通気管本体での通気は確保され、通気不良を解消することができる。
【００１０】
請求項２に記載のサイフォン排水システム用の通気管は、前記除水部が、前記通気管本体の下側に長手方向に沿って設けられた溝で構成されていること、を特徴とする。
【００１１】
除水部を上記構成とすることにより、流入した水を溝に集めて、毛細管現象を利用して流出させることができる。
【００１２】
請求項３に記載のサイフォン排水システム用の通気管は、前記記除水部が、前記通気管本体の下側に長手方向に沿って間隔をもって設けられた凹部で構成されていること、を特徴とする。
【００１３】
除水部を上記構成とすることにより、流入した水を凹部に溜めて、通気管本体の通気部分を確保することができる。
【００１４】
請求項４に記載のサイフォン排水システム用の通気管は、水廻り器具とサイフォン排水管との間に貯留槽を備えたサイフォン排水システムにおいて、前記貯留槽内と連通されて用いられることを特徴とする。
【００１５】
このように、本発明のサイフォン排水システム用の通気管は、水廻り器具とサイフォン排水管との間に設けられた貯留槽と連通される通気管として好適に用いることができる。
【００１６】
なお、ここでの通気管は、２本（複数本）のサイフォン排水管を並列的に貯留槽に接続した場合で、サイフォン排水管が通気管としての機能を発揮する特定のもの（例えば、上下に２本配設されたサイフォン排水管のうちの上側の管）を含む。
【００１７】
請求項５に記載のサイフォン排水システム用の通気管は、１つの水廻り器具と接続されるサイフォン排水管を複数本備えたサイフォン排水システムにおいて、前記複数のサイフォン排水管のうち通気管としての機能を有するものに用いられることを特徴とする。
【００１８】
サイフォン排水システムにおいては、大量の溜め流しに対応するために、複数本のサイフォン排水管を並列的に配設する場合がある。この場合には、特定のサイフォン排水管が通気管としての機能も有している。そこで、このようなサイフォン排水管としても、本発明のサイフォン排水システム用の通気管を好適に用いることができる。
【発明の効果】
【００１９】
本発明は上記のように除水部を設けたので、通気管に水が入り排水後に水が残っても、通気管本体から除水部へ水は流出し、通気管本体での通気を確保することができる。
【発明を実施するための最良の形態】
【００２０】
以下に、本発明に係る実施形態の一例を図面に基づき説明する。
【００２１】
まず、本実施形態に係るサイフォン排水システムの全体構成を説明する。図１には、本実施形態に係るサイフォン排水システムの全体構成が概略図にて示されている。
【００２２】
本実施形態に係るサイフォン排水システム１０は、サイフォン力を利用して水回り器具からの排水を効率よく排出する排水システムである。
【００２３】
本実施形態において、サイフォン排水システム１０は、複数階で構成された集合住宅に用いられ、図１に示すように、排水を下方へ流す排水立て管１２を備えている。この排水立て管１２は、集合住宅の上下方向（縦方向）に延設され、集合住宅の各階の床スラブ１４を貫いている。
【００２４】
集合住宅の各階の各戸には、複数の水廻り器具１６が設けられており、この水廻り器具１６には、水廻り器具１６から排出される排水を流す器具排水管１８の一端がそれぞれ接続されている。器具排水管１８の他端は、貯留槽２０の上部と接続されている。貯留槽２０は、複数の水廻り器具１６からの排水を貯留可能とされており、器具排水管１８は、貯留槽２０側が低くなるように勾配をもって配設されている。
【００２５】
貯留槽２０には、サイフォン排水管２２が接続されている。サイフォン排水管２２は、床スラブ１４に沿って配設される横引き管２４と、この横引き管２４と連通する竪管２６とを備えて構成されている。横引き管２４は、貯留槽２０と連通され、床スラブ１４上で水平方向に無勾配で配設されている。横引き管２４と連通する竪管２６は、排水立て管１２に沿って、上下方向（鉛直方向）に配設されている。この竪管２６は、継手２８を介して排水立て管１２と連結されている。継手２８は、竪管２６からの排水を排水立て管１２へ合流させる。
【００２６】
横引き管２４及び竪管２６は、１本の排水管で構成され、他の排水管と途中で合流することなく、そのまま排水立て管１２へ排水を導くようになっている。また、横引き管２４及び竪管２６は、排水が満流で流れるように管の内径が設定されている。横引き管２４内の排水には、サイフォン水頭Ｈｓのエネルギーにより、排水方向へ向かうサイフォン力が作用される。
【００２７】
貯留槽２０には、さらに、通気管３０が接続されている。通気管３０は、床スラブ１４に沿って配設される横引き通気管３２と、この横引き通気管３２と連通する竪通気管３４とを備えて構成されている。横引き通気管３２は、横引き管２４よりも高い位置で貯留槽２０と連通されており、下方に導かれてサイフォン排水管２２と同様に、床スラブ１４に沿って水平方向に無勾配で配設されている。横引き通気管３２と連通する竪通気管３４は、排水立て管１２に沿って、上下方向（鉛直方向）に配設されている。この竪通気管３４は、継手２８を介して排水立て管１２と連結されている。継手２８は、通気管３０を介して貯留槽２０と排水立て管１２とを連通させている。
【００２８】
このサイフォン排水システム１０によれば、水廻り器具１６から排出された排水は、貯留槽２０へ流入し、貯留槽２０から横引き管２４、竪管２６を経て排水立て管１２へ合流する。サイフォン排水管２２内を満流で排水が流れると、サイフォン水頭Ｈｓのポテンシャルエネルギ−により、サイフォン力が発生する。このサイフォン力により、横引き管２４及び竪管２６内の排水が誘導され、その排水が促進される。
【００２９】
次に、本実施形態の通気管３０の横引き通気管３２について詳細に説明する。
【００３０】
図２に示すように、横引き通気管３２は、横引き通気管本体３３と除水溝部３５とで構成されている。
【００３１】
横引き通気管本体３３は、横引き通気管３２の大半部分を構成する筒状とされ、下部に長手方向に沿った切欠きが構成されている。横引き通気管本体３３の内側には、通気路３３Ａが構成されている。
【００３２】
除水溝部３５は、断面が図２（Ａ）に示すように、通気管本体３３の切欠き部分から連続して径方向外側突出した形状とされており、除水溝部３５の内側には横引き通気管３２の長手方向に沿って除水溝３５Ａが構成されている。
【００３３】
次に、本実施形態の通気管３０に排水が流入した場合の作用について説明する。
【００３４】
通気管３０に排水が流入すると、図２（Ｂ）に示すように、横引き通気管３２内が満流となることも考えられる。通気管３０は、竪通気管３４で排水立て管１２に合流されているので、大半の排水は流出すると考えられるが、無勾配とされた横引き通気管３２内には排水が残留する。残留した排水は、図３に示すように、横引き通気管３２内の通気路３３Ａから除水溝３５Ａへ流入する。したがって、通気路３３Ａは排水によって閉鎖されることがなく、通気を確保することができる。
【００３５】
なお、除水溝３５Ａに流入した排水は、毛細管現象により、竪通気管３４側へ流れて排出される。
【００３６】
本実施形態の通気管３０によれば、横引き通気管３２内に除水溝３５Ａが構成されているので、残留した排水を除水溝３５Ａに流し込んで、通気を確保することができる。
【００３７】
なお、本実施形態では、除水溝３５Ａを構成した例について説明したが、除水溝３５Ａに代えて、図４に示すように、横引き通気管３２内の下部に所定間隔で凹部３８を構成してもよい。このように凹部３８を構成することにより、通気路３３Ａの残留排水を凹部３８に流し込んで、通気を確保することができる。凹部３８に溜まった排水は、経時と共に蒸発する。
【００３８】
また、本実施形態では、通気管３０が竪管２６に沿って配置された竪通気管３４を備えている例について説明したが、必ずしも竪通気管３４を備えず、横引き通気管３２を水平方向に延ばして排水立て管１２と接続されるものであってもよい。即ち、水平方向に配設される部分（無勾配部）を有する、あらゆる通気管に本発明は適用可能である。
【００３９】
また、本発明の通気管は、貯留槽２０に複数のサイフォン排水管２２が接続したり、図５に示すように、１つの水廻り器具１６Ａに複数のサイフォン排水管２２Ａを接続したりするサイフォン排水システムの特定のサイフォン排水管２２に用いることもできる。
【００４０】
この構成においては、すべてのサイフォン排水管２２での排水が同時に終了するのではなく、特定のサイフォン排水管２２、例えば、上側に配設されたもののサイフォン排出が下側に配設されたものよりも早く終了する。そして、サイフォン排水が早く終了したサイフォン排水管２２は、サイフォンが切れた後、通気管として機能し、貯留槽内の圧力が一定に保たれる。この場合、通気管として機能するサイフォン排水管２２内に排水が残っていると、通気不良となってしまう。そこで、このようなサイフォン排水システムにおいて通気管として機能しうるサイフォン排水管にも、本発明の通気管を好適に使用することができる。
【００４１】
また、本実施形態に係るサイフォン排水システム１０は、水回り器具からの排水を効率よく排出するものとして説明したが、雨水など水廻り器具１６以外からの排水を効率よく排出するために用いられるものや、工場における冷却水などに用いられるサイフォン排水システムでもよい。
【００４２】
また、本実施形態に係るサイフォン排水システム１０は、集合住宅に用いられていたが、一戸建ての住宅に用いられるものであっても良い。
【図面の簡単な説明】
【００４３】
【図１】本実施形態の係るサイフォン排水システムの全体構成を示す概略図である。
【図２】本実施形態の通気管が満流状態での（Ａ）は幅方向の（Ｂ）は長手方向の断面を示す図である。
【図３】本実施形態の通気管に残った水が除水部へ流出した状態の（Ａ）は幅方向の（Ｂ）は長手方向の断面を示す図である。
【図４】本実施形態の通気管の変形例を示す図である。
【図５】複数のサイフォン排水管が１つの水廻り器具に接続された係るサイフォン排水システムの全体構成を示す概略図である。
【図６】従来の通気管が排水により通気不良となっている状態を示す図である。
【符号の説明】
【００４４】
１０   サイフォン排水システム
２２   サイフォン排水管
２４   横引き管
２６   竪管
３０   通気管
３２   横引き通気管３２
３３   通気管本体
３３Ａ 通気路
３４   竪通気管
３５   除水溝部
３５Ａ 除水溝
３８   凹部
【図１】
2008138392.tif 000003
【図２】
2008138392.tif 000004
【図３】
2008138392.tif 000005
【図４】
2008138392.tif 000006
【図５】
2008138392.tif 000007
【図６】
2008138392.tif 000008